(57)【要約】【課題】呼び出しが行われた場合に、患者の個人情報を適切に保護しつつ、医療従事者にとって必要な情報を廊下灯の表示部に表示することを目的とする。【解決手段】病室内のベッドの数に応じて分割された複数の表示領域にベッドを使用する患者の個人情報を含む患者情報を第一の状態にて表示しており、ナースコール子機による呼び出しが行われた場合に、通常呼び出しであるときには、呼び出しが行われたナースコール子機を使用する患者の個人情報のみを表示する。一方、脱落呼び出しであるときには、第一の状態における全ての表示領域の個人情報をベッド番号情報に置き換えて表示し、呼び出しが行われたナースコール子機を使用する患者の表示領域を他の表示領域と異ならせるように表示している。これにより、患者の個人情報を適切に保護しつつ、医療従事者にとって必要な情報を表示することができる。【選択図】  図４
2010035578.tif 000002
【特許請求の範囲】
【請求項１】
患者による呼び出し操作により通常呼出信号を生成して出力するとともに、機器が脱落や断線したときに脱落呼出信号を生成して出力するナースコール子機と、
病室内のベッドの数に応じて分割された複数の表示領域に前記ベッドを使用する患者の個人情報を含む患者情報を第一の状態にて表示し、前記ナースコール子機から前記通常呼出信号および前記脱落呼出信号を入力して、前記通常呼出信号を入力した場合に、前記呼び出し操作を行った前記患者の個人情報を含む患者情報のみを表示し、前記脱落呼出信号を入力した場合に、前記第一の状態における全ての表示領域の個人情報をベッドの位置を示すベッド番号に置き換え、前記脱落呼出信号を出力したナースコール子機を使用する患者の表示領域を他の表示領域と異ならせるように表示する廊下灯と、
を備えたナースコールシステム。
【請求項２】
患者による呼び出し操作により通常呼出信号を生成して出力するとともに、機器が脱落や断線したときに脱落呼出信号を生成して出力するナースコール子機と、
病室内のベッドの数に応じて分割された複数の表示領域に前記ベッドを使用する患者の個人情報を含む患者情報を第一の状態にて表示し、前記ナースコール子機から前記通常呼出信号および前記脱落呼出信号を入力して、前記通常呼出信号を入力した場合に、前記呼び出し操作を行った前記患者の個人情報を含む患者情報のみを表示し、前記脱落呼出信号を入力した場合に、前記第一の状態における全ての表示領域の個人情報を非表示とし、前記脱落呼出信号を出力したナースコール子機を使用する患者の表示領域を他の表示領域と異ならせるように表示する廊下灯と、
を備えたナースコールシステム。
【発明の詳細な説明】
【技術分野】
【０００１】
本発明は、病院や介護施設などで患者や被介護者からの要求に応じて看護師や介護者を呼び出すナースコールシステムに関する。
【背景技術】
【０００２】
従来、ナースコールシステムでは、患者や被介護者（以下、患者と記載する）の近辺（例えば、ベッド近傍など）に設置されたナースコール子機と看護師や介護者（以下、医療従事者と記載する）の居る部屋などに設置されたナースコール親機とを有線や無線などにより接続している。また、ナースコール子機とナースコール親機との間には廊下灯や制御機などが接続されている。
【０００３】
ここで、廊下灯は、病室などの部屋の出入口近傍の廊下側の壁面に取り付けられている。また、廊下灯は、取り付けられている病室の部屋番号やその病室に入院している患者の氏名などの患者情報を表示している。また、廊下灯は、ナースコール親機と連動しており、ベッド近傍に設置されたナースコール子機により患者が呼び出しを行うと、ナースコール子機は、ナースコール親機、医療従事者が携帯する無線端末装置に呼び出しを通知するとともに、廊下灯にも呼び出しを通知する。このとき、廊下灯は廊下灯に設けた点灯装置を点灯させる。これにより、廊下に居る医療従事者は、呼び出しを行った患者が居る病室を特定することができる。
【０００４】
ところで、タッチパネル付きの液晶ディスプレイにより廊下灯の表示部を構成し、タッチパネルをタッチしたときに患者の氏名などの患者情報を一定時間表示する技術が知られている（例えば、特許文献１など）。
【特許文献１】特開平１０−１９２３４９号公報
【０００５】
また、病室内に複数のベッドが存在するような場合に、液晶ディスプレイにより構成した廊下灯の表示部に、病室内の複数の患者の患者情報を表示するとき、患者の数に応じた患者個々の表示領域を設け、呼び出しを行った患者の表示領域のみに患者情報を表示する技術も知られている（例えば、特許文献２など）。
【特許文献２】特開２００６−２１０２９号公報
【０００６】
また、液晶ディスプレイにより廊下灯の表示部を構成し、病室内の複数の患者の患者情報を表示部に表示する場合に、患者の数に応じた患者個々の表示領域を設け、呼び出しを行った患者の表示領域を識別可能に表示しつつ、呼び出しを行った患者の表示領域に患者氏名を表示させない技術も知られている（例えば、特許文献３など）。
【特許文献３】特開２００７−２９５４３号公報
【０００７】
ところで、ベッド近傍に設置されるナースコール子機は、患者による紛失や確実な通信の確保のために、壁面に有線で接続されることが多い。また、ナースコールの呼び出しには、通常の呼び出しだけではなく、壁面に接続されているナースコール子機が壁面から外れたり、接続しているコードが断線したりしたことを通知するための脱落呼び出しが存在する。
【０００８】
上述した特許文献１や特許文献２では、脱落呼び出しの際にも、その呼び出しを行ったナースコール子機の使用者である患者の患者情報が廊下灯の表示部に表示されてしまう。このように、脱落呼び出しは、患者による通常の呼び出しと異なり、患者が自主的に呼び出しを行ったわけではないのに患者情報が廊下灯の表示部に表示されてしまうので、個人情報の保護が適切に行われなくなってしまうという問題があった。
【０００９】
一方、上述した特許文献３では、通常呼び出しと脱落呼び出しとの区別なく、呼び出しを行ったナースコール子機の使用者である患者の患者情報が廊下灯の表示部に表示されない（ただし、その後に行われる所定の操作により患者情報の表示が可能である）。このように、呼び出しを行った患者を医療従事者が知りたいような場合でも、患者情報が廊下灯の表示部に表示されないので、個人情報が過剰に保護されてしまうという問題があった。
【発明の開示】
【発明が解決しようとする課題】
【００１０】
本発明は、このような問題を解決するために成されたものであり、液晶ディスプレイなどの表示装置によって廊下灯の表示部を構成し、呼び出しが行われた場合に、患者の個人情報を適切に保護しつつ、医療従事者にとって必要な情報を廊下灯の表示部に表示することを目的とする。
【課題を解決するための手段】
【００１１】
上述した課題を解決するために、本発明では、病室内のベッドの数に応じて分割された複数の表示領域にベッドを使用する患者の個人情報を含む患者情報を第一の状態にて表示しており、ナースコール子機による呼び出しが行われた場合に、呼び出し種別が通常呼び出しのときには、呼び出しが行われたナースコール子機を使用する患者の個人情報のみを表示し、呼び出し種別が脱落呼び出しのときには、第一の状態における全ての表示領域の個人情報をベッド番号に置き換えて表示し、呼び出しが行われたナースコール子機を使用する患者の表示領域を他の表示領域と異ならせるように表示している。
【００１２】
また、本発明の他の態様によれば、病室内のベッドの数に応じて分割された複数の表示領域にベッドを使用する患者の個人情報を含む患者情報を第一の状態にて表示しており、ナースコール子機による呼び出しが行われた場合に、呼び出し種別が通常呼び出しのときには、呼び出しが行われたナースコール子機を使用する患者の個人情報のみを表示し、呼び出し種別が脱落呼び出しのときには、常態における全ての表示領域の個人情報を非表示とし、呼び出しが行われたナースコール子機を使用する患者の表示領域を他の表示領域と異ならせるように表示している。
【発明の効果】
【００１３】
上記のように構成した本発明によれば、通常呼び出しが行われたときには、呼び出しを行った患者の個人情報のみが表示されるので、その他の患者の個人情報が表示されなくなる。また、脱落呼び出しが行われたときには、患者の個人情報の代わりにベッド番号が全ての表示領域に表示されるので、患者の個人情報が表示されなくなり、脱落呼び出しが発生したナースコール子機を設置したベッドがベッド番号により特定される。これにより、患者の個人情報を適切に保護しつつ、医療従事者にとって必要な情報を廊下灯の表示部に表示することができる。
【００１４】
また、本発明の他の態様によれば、通常呼び出しが行われたときには、呼び出しを行った患者の個人情報のみが表示されるので、その他の患者の個人情報が表示されなくなる。また、脱落呼び出しが行われたときには、全ての表示領域の患者の個人情報が表示されなくなり、他の表示領域と異なる表示を行う表示領域の位置によって、脱落呼び出しが発生したナースコール子機が特定される。これにより、患者の個人情報を適切に保護しつつ、医療従事者にとって必要な情報を廊下灯の表示部に表示することができる。
【発明を実施するための最良の形態】
【００１５】
以下、本発明の一実施形態を図面に基づいて説明する。図１は、本実施形態によるナースコールシステム全体の構成例を示す図である。図１（Ａ）に示すように、本実施形態によるナースコールシステムは、ナースコール子機１、ナースコール親機１０、制御機２０、廊下灯３０を備えて構成されている。
【００１６】
また、ナースコール子機１は、操作ユニット１ａおよびウォールユニット１ｂにより構成されている。操作ユニット１ａは、病室の各患者が手元で呼び出し操作や通話ができるようにウォールユニット１ｂのコンセントに接続されている。操作ユニット１ａは、患者が医療従事者を呼び出すための呼び出しボタン１ｃ、患者が医療従事者と会話を行う際に使用するマイク（図示せず）およびスピーカ（図示せず）を備えている。ウォールユニット１ｂは、病室の各患者のベッドサイドの壁面に埋め込まれており、廊下灯３０に接続されている。また、ウォールユニット１ｂは、医療従事者が緊急時に他の看護師などを呼び出すための呼び出しボタン（図示せず）、患者が医療従事者を呼び出したときに、看護師が操作して元の状態に戻すための復旧ボタン１ｄ、操作ユニット１ａを接続するためのコンセントを備えている。また、ウォールユニット１ｂは、患者が医療従事者と会話を行う際に使用するマイクおよびスピーカを必要に応じて備える。
【００１７】
ナースコール親機１０は、例えば、医療従事者が常駐するナースセンターなどに設置される。また、ナースコール親機１０は、ハンドセット１０ａを備えている。ハンドセット１０ａは、患者からの呼び出し（ナースコール子機１による呼び出し）に対する応答の操作または患者（ナースコール子機１）を呼び出す操作を行うためのものである。
【００１８】
制御機２０は、通話やデータの送受信に関する制御を行う。廊下灯３０は、病室の出入口近傍の壁面などに病室毎に設置され、病室内の患者名などの患者情報を表示する。また、廊下灯３０は、病室内の患者が医療従事者の呼び出しを行うと、呼び出しが行われたことを画面３０ａに表示する。ここで、廊下灯３０に使用されるディスプレイは、タッチパネル付きの液晶パネルなどが使用される。また、病室内の患者が医療従事者の呼び出しを行った場合に、医療従事者が画面３０ａを操作すると、呼び出し動作を解除する復旧の操作の機能を廊下灯３０は必要に応じて備えている。
【００１９】
このように構成されたナースコールシステムにおいて、図１（Ｂ）に示すように、ナースコール子機１の操作ユニット１ａがウォールユニット１ｂのコンセントから脱落すると、ウォールユニット１ｂでは、操作ユニット１ａの脱落を検出して脱落呼び出しを行う。ここで、操作ユニット１ａとウォールユニット１ｂのコンセントとの間のコードが断線した場合にも、ウォールユニット１ｂでは、脱落呼び出しを行う。
【００２０】
図２は、本実施形態によるナースコールシステムの要部の構成例を示すブロック図である。図２によれば、ナースコール子機１は、操作部２、子機インターフェース３を備えて構成されている。また、廊下灯３０は、制御部３１、廊下灯インターフェース３２、記憶部３３、呼び出し種別判定部３４、表示制御部３５、表示部３６を備えて構成されている。
【００２１】
図１および図２において、ナースコール子機１は、患者が入院している病室内のベッドなどに取り付けられており、伝送線を介して廊下灯３０に接続されている。ここで、複数のナースコール子機１は、一つの廊下灯３０に対して識別可能に接続されている。なお、ナースコール子機１と廊下灯３０とが１：１で接続されていても良いが、本件の対象となるのは、一つの廊下灯３０に対してナースコール子機１が２台以上接続されているものである。
【００２２】
廊下灯３０は、病室毎に設けられており、伝送線を介してナースコール親機１０に接続されている。ここで、複数の廊下灯３０は、一つのナースコール親機１０に対して識別可能に接続されている。
【００２３】
ナースコール子機１の操作部２は、患者による操作により通常呼出信号を生成する。ここで、操作部２は、呼び出しボタン１ｃおよび患者の操作により通常呼出信号を生成する通常呼出信号生成部（図示せず）を含む。患者は、医療従事者を呼び出したい場合に、呼び出しボタン１ｃを操作する。すると、呼出信号生成部は、通常呼出信号を生成する。
【００２４】
子機インターフェース３は、ウォールユニット１ｂに設けられており、ナースコール子機１と廊下灯３０とを通信可能に接続し、操作部２により生成された通常呼出信号を廊下灯３０に出力する。また、子機インターフェース３は、操作ユニット１ａが脱落したり断線したりした場合に、それを検出して脱落呼出信号を生成して廊下灯３０に出力する。
【００２５】
制御部３１は、廊下灯３０の各構成要素を後述するように制御する。廊下灯インターフェース３２は、廊下灯３０とナースコール子機１とを通信可能に接続し、ナースコール子機１にて生成された通常呼出信号および脱落呼出信号を入力する。また、廊下灯インターフェース３２は、廊下灯３０とナースコール親機１０とを制御機２０を介して通信可能に接続する。
【００２６】
記憶部３３は、廊下灯３０が設置された病室に入院している患者の患者情報を患者の位置情報（例えば、ベッド番号などの病室内におけるベッド位置を特定する情報）とともに予め記憶しておく。ここで、患者情報は、少なくとも患者の氏名などの個人情報を含む情報である。なお、廊下灯３０は、患者情報および患者の位置情報を記憶しているナースコール親機１０やパーソナルコンピュータなどから患者情報および位置情報を必要になる度に取得すれば、記憶部３３を不要とすることができる。
【００２７】
呼び出し種別判定部３４は、廊下灯インターフェース３２が入力した呼出信号が通常呼出信号であるか脱落呼出信号であるかを判定し、その結果を制御部３１に送る。まず、制御部３１は、廊下灯インターフェース３２が呼出信号を入力したか否かを判定する。そして、廊下灯インターフェース３２が呼出信号を入力したと制御部３１にて判断した場合に、制御部３１は、呼び出し種別判定部３４を動作させる。呼び出し種別判定部３４は、入力した呼出信号が通常呼出信号であるか脱落呼出信号であるかを判定し、その結果を制御部３１に返す。
【００２８】
表示制御部３５は、制御部３１の指示に従って廊下灯３０に表示するための画面を生成する。表示部３６は、表示制御部３５で生成された表示画面３０ａを表示する。ここで、表示部３６は、タッチパネル付きのディスプレイなどにより構成される。
【００２９】
具体的には、廊下灯インターフェース３２が呼出信号（通常呼出信号および脱落呼出信号）を入力していないと制御部３１にて判断した場合に、制御部３１は、常態表示の指示を表示制御部３５に出す。ここで、常態とは、廊下灯３６に何も表示させない状態を示すものである。また、表示部３６がタッチされた場合などには、制御部３１は、患者情報表示の指示を表示制御部３５に出す。ここで、廊下灯３０の表示部３６には、全ての患者の患者情報が表示される（以下、第一の状態と呼ぶ）。
【００３０】
つまり、呼び出しが行われていない場合には、廊下灯３０の表示部３６には、何も表示されていないが、医療従事者が表示部３６をタッチすることで、制御部３１は、廊下灯３０が設置されている病室内の全ての患者の患者情報をその患者の位置を示す位置情報とともに記憶部３３から読み出して表示制御部３５に出力する。表示制御部３５は、図３（Ａ）に示すような表示画面３０ａを生成し、表示部３６は生成された表示画面３０ａを表示する。
【００３１】
この表示画面３０ａは、全体の表示領域を病室内に設置されたベッドの数で分割した複数の表示領域によって構成されている。ここで、分割された表示領域のうち、左下部分の第一の表示領域ａには、「山田太郎」という患者の個人情報（ここでは氏名）が表示されている。また、分割された表示領域のうち、左上部分の第二の表示領域ｂには、「田中一郎」という患者の個人情報が表示されている。また、分割された表示領域のうち、右上部分の第三の表示領域ｃには、「鈴木次郎」という患者の個人情報が表示されている。また、分割された表示領域のうち、右下部分の第四の表示領域ｄには、患者が存在しないため「空き」という情報が表示されている。
【００３２】
このように表示された表示画面３０ａにおける各患者の表示領域の位置は、実際の病室内における患者の位置を表している。つまり、病室の入り口から病室内を見た場合に、左手前に該当するのが第一の表示領域ａ、左奥に該当するのが第二の表示領域ｂ、右奥に該当するのが第三の表示領域ｃ、右手前に該当するのが第四の表示領域ｄとなる。
【００３３】
なお、本実施形態では、医療従事者が表示部３６をタッチした場合に、図３（Ａ）に示すような表示画面３０ａを表示しているが、これに限定されない。例えば、医療従事者が復旧の操作を行った場合に、図３（Ａ）に示すような表示画面３０ａを表示するようにしても良い。
【００３４】
このように、図３（Ａ）に示す表示が非表示となっている常態において、ある患者（例えば、「田中一郎」）によりナースコール子機１の操作部２が操作されて呼び出しが行われると、操作部２は、通常呼出信号を生成する。子機インターフェース３は、操作部２により生成された通常呼出信号を廊下灯３０に出力する。
【００３５】
制御部３１は、廊下灯インターフェース３２が呼出信号を入力したか否かを判定しているので、廊下灯インターフェース３２が通常呼出信号を入力した場合に、呼び出し種別判定部３４を動作させる。呼び出し種別判定部３４では、廊下灯インターフェース３２が入力した呼出信号が通常呼出信号であるか脱落呼出信号であるかを判定している。ここで、廊下灯インターフェース３２がナースコール子機１から出力された通常呼出信号を入力していると呼び出し種別判定部３４が判断すると、制御部３１は、廊下灯３０が常態から通常呼び出し状態に変化したと判断する。
【００３６】
また、廊下灯３０が通常呼び出し状態に変化したと制御部３１にて判断した場合に、制御部３１は、呼び出し操作を行った患者を特定し（通常呼出信号に含まれるナースコール子機１の識別情報により特定する）、その患者の患者情報および位置情報を記憶部３３から抽出して表示制御部３５に出力する。表示制御部３５は、図３（Ｂ）に示すように、呼び出しを行った患者（ここでは、「田中一郎」）の表示領域（図３（Ａ）における第二の表示領域ｂ）を拡大した表示領域Ｂを中央に配置した表示画面３０ａを生成する。その際に、表示制御部３５は、呼び出し操作を行った患者以外の患者の第一の状態における表示領域（図３（Ａ）の第一の表示領域ａ、第三の表示領域ｃ、第四の表示領域ｄ）の個人情報（「山田太郎」、「鈴木次郎」、「空き」）を拡大した表示領域Ｂが覆って、第一の状態における全ての表示領域（図３（Ａ）の第一の表示領域ａ、第二の表示領域ｂ、第三の表示領域ｃ、第四の表示領域ｄ）の一部が見えるように、表示画面３０ａを生成する。
【００３７】
これと同時に、表示制御部３５は、呼び出し操作を行った患者の第一の状態における表示領域（図３（Ａ）の第二の表示領域ｂ）の表示形態を他の表示領域（第一の表示領域ａ、第三の表示領域ｃ、第四の表示領域ｄ）の表示形態と異ならせて表示画面３０ａを生成する（例えば、色を異ならせた第二の表示領域ｂ´とする）。そして、表示部３６は、表示制御部３５で生成された表示画面３０ａを表示する。
【００３８】
この状態で、医療従事者は、ナースコール親機１０のハンドセット１０ａなどで応答し、病室に駆けつける。そして、医療従事者は、表示部３６をタッチするなどして復旧操作を行う。すると、表示画面３０ａは、図３（Ｂ）に示すものから、図３（Ａ）に示すものや非表示となる。ここで、復旧操作を行った後の表示画面３０ａを何れの画面とするかは、ナースコール親機１０や廊下灯３０での設定による。
【００３９】
一方、表示画面３０ａが非表示となっている常態において、ある患者（例えば、「田中一郎」）が使用するナースコール子機１が脱落したり断線したりすると、子機インターフェース３は、脱落呼出信号を生成して廊下灯３０に出力する。
【００４０】
制御部３１は、廊下灯インターフェース３２が呼出信号を入力したか否かを判定しているので、廊下灯インターフェース３２が脱落呼出信号を入力した場合に、呼び出し種別判定部３４を動作させる。呼び出し種別判定部３４では、廊下灯インターフェース３２が入力した呼出信号が通常呼出信号であるか脱落呼出信号であるかを判定している。ここで、廊下灯インターフェース３２がナースコール子機１から出力された脱落呼出信号を入力していると呼び出し種別判定部３４が判断すると、制御部３１は、廊下灯３０が常態から脱落呼び出し状態に変化したと判断する。
【００４１】
また、廊下灯３０が脱落呼び出し状態に変化したと制御部３１にて判断した場合に、制御部３１は、脱落呼出信号を出力したナースコール子機１を特定し（脱落呼出信号に含まれるナースコール子機１の識別情報により特定する）、そのナースコール子機１を使用する患者の患者情報および位置情報を記憶部３３から抽出して表示制御部３５に出力する。表示制御部３５は、図４（Ｂ）に示すように、第一の状態における全ての表示領域（図４（Ａ）の第一の表示領域ａ、第二の表示領域ｂ、第三の表示領域ｃ、第四の表示領域ｄ）の個人情報をベッド番号情報に置き換えて表示画面３０ａを生成する。
【００４２】
ここで、病室の入り口から病室内を見た場合に、左手前に配置されているベッドのベッド番号が２０１−１（２０１は病室番号）であり、それに該当するのが第一の表示領域ａ´となる。また、左奥に配置されているベッドのベッド番号が２０１−２であり、それに該当するのが第二の表示領域ｂ´となる。また、右奥に配置されているベッドのベッド番号が２０１−３であり、それに該当するのが第三の表示領域ｃ´となる。また、右手前に配置されているベッドのベッド番号が２０１−４であり、それに該当するのが第四の表示領域ｄ´となる。
【００４３】
これと同時に、表示制御部３５は、脱落呼出信号を出力したナースコール子機１を使用している患者の第一の状態における表示領域（図４（Ａ）の第二の表示領域ｂ）の表示形態を他の表示領域（第一の表示領域ａ、第三の表示領域ｃ、第四の表示領域ｄ）の表示形態と異ならせて表示画面３０ａを生成する（例えば、色を異ならせた第二の表示領域ｂ´とする）。そして、表示部３６は、表示制御部３５で生成された表示画面３０ａを表示する。
【００４４】
次に、本実施形態によるナースコールシステムの動作および患者情報表示方法を説明する。図５は、本実施形態によるナースコールシステムの動作および患者情報表示方法を示すフローチャートである。まず、ナースコール子機１にて、操作部２が操作されたか否かをナースコール子機１にて調べる（ステップＳ１）。操作部２が操作されていないとナースコール子機１にて判断した場合には（ステップＳ１にてＮＯ）、ステップＳ３の処理へ移行する。一方、操作部２が操作されたとナースコール子機１にて判断した場合には（ステップＳ１にてＹＥＳ）、操作部２は通常呼出信号を生成し、子機インターフェース３は操作部２により生成された通常呼出信号を廊下灯３０へ出力し（ステップＳ２）、処理を終了する。
【００４５】
ステップＳ３では、操作ユニット１ａの脱落（または断線）を検出したかを子機インターフェース３にて調べる（ステップＳ３）。操作ユニット１ａの脱落が検出されなかった場合には（ステップＳ３にてＮＯ）、ステップＳ１の処理に戻る。一方、操作ユニット１ａの脱落が検出されなかった場合には（ステップＳ３にてＹＥＳ）、子機インターフェース３は、脱落呼出信号を生成し、廊下灯３０へ出力して（ステップＳ４）、処理を終了する。
【００４６】
廊下灯３０では、制御部３１が表示制御部３５を制御して、表示部３６の画面を非表示とする（ステップＳ５）。この状態において、廊下灯３０では、廊下灯インターフェース３２が通常呼出信号を入力したか否かを制御部３１および呼び出し種別判定部３４にて調べる（ステップＳ６）。
【００４７】
廊下灯インターフェース３２が呼出信号を入力したと制御部３１にて判断し、さらに、その呼出信号が通常呼出信号であると呼び出し種別判定部３４にて判断した場合には（ステップＳ６にてＹＥＳ）、制御部３１は、呼び出し操作を行った患者の患者情報および位置情報を記憶部３３から読み出して表示制御部３５に出力する。表示制御部３５は、呼び出し操作を行った患者の個人情報を含む患者情報のみを表示部３６に表示させ（ステップＳ７）、ステップＳ１０へ移行する。
【００４８】
具体的には、表示制御部３５は、呼び出し操作を行った患者以外の患者の表示領域（図３（Ａ）における第一の表示領域ａ、第三の表示領域ｃ、第四の表示領域ｄ）の個人情報を覆い、第一の状態における全ての表示領域（図３（Ａ）における第一の表示領域ａ、第二の表示領域ｂ、第三の表示領域ｃ、第四の表示領域ｄ）の一部が見えるように、呼び出し操作を行った患者の表示領域（第二の表示領域ｂ）を図３（Ｂ）に示すように拡大表示（表示領域Ｂ）するとともに、呼び出し操作を行った患者の第一の状態における表示領域（図３（Ａ）における第二の表示領域ｂ）を他の表示領域（図３（Ａ）および図３（Ｂ）における第一の表示領域ａ、第三の表示領域ｃ、第四の表示領域ｄ）と異ならせるように表示（例えば、図３（Ｂ）に示すように、色を異ならせた第二の表示領域ｂ´）する。
【００４９】
一方、廊下灯インターフェース３２が呼出信号を入力していないと制御部３１にて判断した場合、または、廊下灯インターフェース３２が呼出信号を入力したと制御部３１にて判断し、さらに、その呼出信号が通常呼出信号ではないと呼び出し種別判定部３４にて判断した場合には（ステップＳ６にてＮＯ）、廊下灯インターフェース３２が脱落呼出信号を入力したか否かを制御部３１および呼び出し種別判定部３４にて調べる（ステップＳ８）。
【００５０】
廊下灯インターフェース３２が呼出信号を入力したと制御部３１にて判断し、さらに、その呼出信号が脱落呼出信号ではないと呼び出し種別判定部３４にて判断した場合には（ステップＳ８にてＮＯ）、ステップＳ５の処理へ戻る。一方、廊下灯インターフェース３２が呼出信号を入力したと制御部３１にて判断し、さらに、その呼出信号が脱落呼出信号であると呼び出し種別判定部３４にて判断した場合には（ステップＳ８にてＹＥＳ）、
制御部３１は、脱落呼び出しが行われたナースコール子機１を使用する患者の位置情報を記憶部３３から読み出して表示制御部３５に出力するとともに、この廊下灯３０を使用する全ての患者が使用するベッドのベッド番号情報および位置情報を記憶部３３から読み出して表示制御部３５に出力する。
【００５１】
表示制御部３５は、第一の状態における全ての表示領域（図３（Ａ）における第一の表示領域ａ、第二の表示領域ｂ、第三の表示領域ｃ、第四の表示領域ｄ）の個人情報をベッド番号情報に置き換えて表示する（図３（Ｂ）における第一の表示領域ａ´、第二の表示領域ｂ´、第三の表示領域ｃ´、第四の表示領域ｄ´）とともに、脱落呼び出しが行われたナースコール子機１を使用する患者の第一の状態における表示領域（図３（Ａ）における第二の表示領域ｂ）を他の表示領域（図３（Ｂ）における第一の表示領域ａ´、第三の表示領域ｃ´、第四の表示領域ｄ´）と異ならせるように表示（図３（Ｂ）における第二の表示領域ｂ´のように、色を異ならせる）する（ステップＳ９）。そして、ステップＳ１０へ移行する。
【００５２】
ステップＳ１０では、制御部３１は、表示部３６などがタッチされて復旧の操作が行われたか否かを調べる。復旧の操作が行われていないと制御部３１にて判断した場合には（ステップＳ１０にてＮＯ）、ステップＳ１０の処理を繰り返す。一方、復旧の操作が行われたと制御部３１にて判断した場合には（ステップＳ１０にてＹＥＳ）、ステップＳ５の処理に戻る。
【００５３】
以上詳しく説明したように、本実施形態によれば、病室内のベッドの数に応じて分割された複数の表示領域にベッドを使用する患者の個人情報を含む患者情報を第一の状態にて表示しており、ナースコール子機１による呼び出しが行われた場合に、呼び出し種別が通常呼び出しであると呼び出し種別判定部３４が判断したときには、表示制御部３５は、呼び出しが行われたナースコール子機１を使用する患者の個人情報のみを表示部３６に表示する。一方、呼び出し種別が脱落呼び出しであると呼び出し種別判定部３４が判断したときには、表示制御部３５は、第一の状態における全ての表示領域の個人情報をベッド番号情報に置き換えて表示部３６に表示し、呼び出しが行われたナースコール子機１を使用する患者の表示領域を他の表示領域と異ならせるように表示部３６に表示している。
【００５４】
これにより、通常呼び出しが行われたときには、呼び出しを行った患者の個人情報のみが表示部３６に表示されるので、その他の患者の個人情報が表示部３６に表示されなくなる。また、脱落呼び出しが行われたときには、患者の個人情報の代わりにベッド番号情報が全ての表示領域に表示されるので、患者の個人情報が表示部３６に表示されなくなり、脱落呼び出しが発生したナースコール子機１を設置したベッドがベッド番号により特定される。従って、患者の個人情報を適切に保護しつつ、医療従事者にとって必要な情報を廊下灯３０の表示部３６に表示することができる。
【００５５】
なお、前述した実施形態では、各患者の個人情報の代わりにベッド番号情報を表示部３６に表示しているが、これに限定されない。例えば、図６（Ｂ）に示すように、全ての領域の患者情報を非表示として、呼び出しが行われたナースコール子機１を使用する患者の表示領域ｂ´を他の表示領域（図６（Ｂ）における第一の表示領域ａ´、第三の表示領域ｃ´、第四の表示領域ｄ´）と異ならせるように表示部３６に表示するようにしても良い。
【００５６】
また、前述した実施形態では、病室に設置されているベッドの数は４床であるが、これに限定されない。少なくとも２床以上のベッドが存在していれば良いことはもちろんである。
【００５７】
また、前述した実施形態では、記憶部３３や呼び出し種別判定部３４、表示制御部３５を廊下灯３０に設けているが、これに限定されない。例えば、ナースコール親機１０などにこれらの構成要素を設けるようにしても良い。
【００５８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００５９】
本発明は、病院や介護施設などで患者や被介護者からの要求に応じて看護師や介護者を呼び出すナースコールシステムに有用である。
【図面の簡単な説明】
【００６０】
【図１】本実施形態によるナースコールシステム全体の構成例を示すブロック図である。
【図２】本実施形態によるナースコールシステムの要部の構成例を示すブロック図の表示画面の例を示す図である。
【図３】本実施形態によるナースコールシステムの廊下灯の通常呼び出し時の表示画面の例を示す図である。
【図４】本実施形態によるナースコールシステムの廊下灯の脱落呼び出し時の表示画面の例を示す図である。
【図５】本実施形態によるナースコールシステムの動作および患者情報表示方法を示すフローチャートである。
【図６】本実施形態によるナースコールシステムの廊下灯の脱落呼び出し時の表示画面の変形例を示す図である。
【符号の説明】
【００６１】
１    ナースコール子機
２    操作部
３    子機インターフェース
３０    廊下灯
３１    制御部
３２    廊下灯インターフェース
３３    記憶部
３４    呼び出し種別判定部
３５    表示制御部
３６    表示部
【図１】
2010035578.tif 000003
【図２】
2010035578.tif 000004
【図３】
2010035578.tif 000005
【図４】
2010035578.tif 000006
【図５】
2010035578.tif 000007
【図６】
2010035578.tif 000008